(57)【要約】      （修正有）【課題】スクリーンパネルを備え、台下にプロジェクターを収納でき、映写と展示が同時に可能であって、軽量で持運び・収納・組立が簡単な組立式展示台を提供する。【解決手段】プラスチック段ボールを素材とする２段構成のスクリーンパネル付組立式展示台であって、左側面・右側面・前面を有し展示台周壁を形成する基板と、上段を形成する上台板２と、下段を形成する下台板３と、上台板２より立直するスクリーンパネル６を具備し、上台板２、下台板３及びスクリーンパネル６は、基板を構成する左側面と右側面の上辺に設置された複数のスリットに嵌め込む形で設置される。また、上台板２の下にプロジェクターを収納できる空間を有し、上台板２は通光窓２２１を有し、上台板２の下の空間に収納されたプロジェクターからの映写光は通光窓２２１を通り、スクリーンパネル６に投影される。【選択図】図１
0003204843.tif 000002
【実用新案登録請求の範囲】
【請求項１】
台下にプロジェクターが設置可能な上下２段の組立式展示台であって、
左側面・前面・右側面を有し前記展示台の周壁を形成する基板と、
前面・台面・背面から成り下段を形成する下台板と、
同じく前面・台面・背面から成り上段を形成する上台板と、
前記上台板より立直するスクリーンパネルと、
を有することを特徴とする展示台。
【請求項２】
前記基板の前記左側面及び前記右側面の立設時の上辺は上下２段になっており、
前記上辺の各々の段には下方向に複数のスリットが形成され、
前記上辺の前記上段の前記スリットには前記スクリーンパネル及び前記上台板を、
前記上辺の前記下段の前記スリットには前記下台板を、
それぞれ嵌設して成ることを特徴とする請求項１記載の展示台。
【請求項３】
組立後の前記展示台は、前記上台板の下にプロジェクターを収納できる空間を有し、前記上台板は通光窓を有し、前記上台板の下の前記空間に収納された前記プロジェクターからの映写光は前記通光窓を通り、前記スクリーンパネルに投影されることを特徴とする請求項１又は２記載の展示台。
【請求項４】
素材がプラスチック段ボールであることを特徴とする請求項１乃至３のいずれかに記載の展示台。
【考案の詳細な説明】
【技術分野】
【０００１】
本考案は、スクリーンパネルを備え、台下にプロジェクターを収納して映写と展示が同時にできる組立式展示台に関する。
【背景技術】
【０００２】
近年、展示会では、1メートル以内の焦点距離で映像を投影することができる小型の短焦点プロジェクターを使用することが多い。この場合、プロジェクターの配置としては、スクリーンやバックパネルから至近距離の床に台を設置してプロジェクターを置くか、又は展示台の段上に直接プロジェクターを置くのが通常である。
【先行技術文献】
【特許文献】
【０００３】
【特許文献１】実用新案登録第３１９０１５２号公報
【考案の概要】
【考案が解決しようとする課題】
【０００４】
展示会で、床上や展示台上にプロジェクターを配置すると、他の展示品との関係で全体の見栄えが問題となる。また、プロジェクターの周辺には展示品を陳列することが難しくなる。
【０００５】
出願人は、軽量で持運び・収納・組立が簡単で丈夫な、プラスチック段ボールを素材とする組立式展示台を世に提供している（特許文献１）。
【０００６】
上述の問題と事情を踏まえ、本考案においては、出願人自らが開示している展示台についての考案を改良し、スクリーンパネルを備え、台下にプロジェクターを収納して映写と展示の両方が同時に可能である組立式展示台を提供することを課題とする。
【課題を解決するための手段】
【０００７】
上記課題を解決するために、本考案に係る展示台は、左側面・前面・右側面を有し前記展示台の周壁を形成するする基板と、前面・台面・背面から成り下段を構成する下台板と、同じく前面・台面・背面から成り上段を構成する上台板と、前記上台板より立直するスクリーンパネルにより構成される。
【０００８】
前記基板の前記左側面及び前記右側面の立設時の上辺は上下２段になっており、  前記上辺の各々には下方向に複数のスリットが形成され、前記上辺の前記上段の前記スリットには前記スクリーンパネル及び前記上台板を、前記上辺の前記下段の前記スリットには前記下台板を、それぞれ嵌設して成る。
【０００９】
組立後の前記展示台は、前記上台板の下にプロジェクターを収納できる空間を有し、前記上台板は通光窓を有し、前記上台板の下の前記空間に収納された前記プロジェクターからの映写光は前記通光窓を通り、前記スクリーンパネルに投影される構成となっている。
【００１０】
本展示台の各部品は、比較的安価に入手でき、非常に軽く、折り曲げや切断等の加工が容易であるプラスチック段ボールを素材としている。
【考案の効果】
【００１１】
展示台の下にプロジェクターを配置することができるため、他の展示品との関係で全体の見栄えが損なわれる心配がない。また、プロジェクターの周辺に展示品を陳列することが容易になり、映像と展示物との組み合わせにより効果的な展示が可能となる。
【００１２】
軽いプラスチック段ボールを素材として使用しているうえ、分解して折り畳むことができるため、持ち運びが容易である。また、製造コストが低く、使用後は分解して保管し、再利用することができる。
【００１３】
螺旋等の固定部材を使用せず、台板等の部材を基板のスリットに嵌め込むだけで組み立てることができるため、設置・解体が容易である。
【図面の簡単な説明】
【００１４】
【図１】映像投影時の本展示台の使用状態を示す写真である。
【図２】本展示台を構成する各部材を示す平面図である。
【図３】本展示台の、（Ａ）平面図、（Ｂ）正面図、（Ｃ）側面図である。
【考案を実施するための形態】
【００１５】
以下、本考案の実施形態について図を用いて説明する。
まず、本展示台の構成について説明する。
【００１６】
図２に示すように、本展示台を構成する主な部材は基板１、上台板２、下台板３、スクリーンパネル６の４点である。そのほか、後述するように、基板１を補強するコの字形の上補強板４及び下補強板５が補助部材として付属されている。
【００１７】
上記部品は、すべてプラスチックダンボールを素材とし、スクリーンパネル６は前記プラスチックダンボールを目方向違いに２重に貼り合わせた構成となっている。
【００１８】
基板１は左側面１１、右側面１２及び前面１３を有し、左側面１１には、プロジェクター投影時に手を入れて機器の位置を調整するための側窓１１１が形成されている。上台板２は前面２１・台面２２・背面２３を有し、台面２２には、プロジェクターからの映写光を通すための通光窓２２１が形成されている。下台板３も同様に前面３１・台面３２・背面３３を有する。上補強板４及び下補強板５は３面を有し、組み立てに際しては後述するように点線で折り、コの字型にして基板１に嵌設する。
【００１９】
次に、組み立ての手順について説明する。
まず、基板１を、それぞれの面が点線で互いに直角になるように折り、後方が解放される位置で立設する。基板１の左側面１１及び右側面１２は、図３（Ｃ）に示すように、立設時の上辺が上下２段になっており、左側面１１の辺上にはａ乃至ｆのスリットが、また右側面１２の辺上には前記左側面のスリットに対応するａ´乃至ｆ´のスリットが形成されている。
【００２０】
つぎに、下補強板５をコの字型の開放部を下にしてスリットａ−ａ´及びｂ−ｂ´に、上補強板４をスリットｄ−ｄ´及びｅ−ｅ´に嵌め込む。続けて、下台板３の背面３３をスリットｃ−ｃ´に嵌め込みつつ、台面３２を下補強板５上に載置し、前面３１を基板１の前面１３に着設する。
【００２１】
さらに、上台板２の前面２１をスリットｃ−ｃ´に、背面２３をスリットｆ−ｆ´に嵌め込み、上補強板４の上に台面２２が載置される。このとき、同時に、スクリーンパネル６を上台板２の前面２１とともにスリットｃ−ｃ´に嵌め込み直立させることにより、上下２段のスクリーンパネル付展示台が作出される。
本実施形態における展示台の各部の寸法は、図３に示すとおりである（単位ｍｍ）。
【００２２】
最後に、プロジェクター７の設置方法について説明する。
プロジェクター７は図３（Ｃ）に示すように、上台板２の台下に、通光窓２２１との位置調整を行いながら載置するが、メーカーに応じて別途載置台８を使用して高さ調節を行うことが望ましい。機器の出入は、上台板２の前面２１を外して行うが、設置後の位置微調整は基板１の左側面１１に形成された側窓１１１を通してできるようになっている。
【００２３】
図１はプロジェクター７を使用時の状態を示す。写真で分かるように、プロジェクター７の姿を隠すことができるため、全体の見栄えがよくなるうえ、スクリーンの下にも展示品を陳列することが容易になることから、映像と展示物との組み合わせによる効果的な展示が可能となる。
【符号の説明】
【００２４】
１      基板
１１    左側面
１１１  側窓
１２    右側面
１３    前面
ａ  スリットａ（左側面）      ａ´  スリットａ´（右側面）
ｂ  スリットｂ（左側面）      ｂ´  スリットｂ´（右側面）
ｃ  スリットｃ（左側面）      ｃ´  スリットｃ´（右側面）
ｄ  スリットｄ（左側面）      ｄ´  スリットｄ´（右側面）
ｅ  スリットｅ（左側面）      ｅ´  スリットｅ´（右側面）
ｆ  スリットｆ（左側面）      ｆ´  スリットｆ´（右側面）
２      上台板
２１    前面
２２    台面（上段）
２２１  通光窓
２３    背面
３      下台板
３１    前面
３２    台面（下段）
３３    背面
４      上補強板
５      下補強板
６      スクリーンパネル
７      プロジェクター
８      プロジェクター載置台
【図１】
0003204843.tif 000003
【図２】
0003204843.tif 000004
【図３】
0003204843.tif 000005